(57)【要約】【課題】スピーカから出力された音に基づいて所望の音質を容易に得ることができる。【解決手段】音信号を音波に変換して出力するスピーカ１１と、スピーカ１１の前面側と裏面側とを隔離し、これら両側に貫通されたバッフル口２０ａを備えたバッフル板２０と、バッフル口２０ａを任意の開口度で開閉可能なバッフル口開閉機構１５と、スピーカ１１から前面側に出力された所定の周波数成分がスピーカ１１の裏面側に出力された所定の周波数成分の位相差により打ち消されるように、バッフル口開閉機構１５を制御する音質調整装置５０とを有している。【選択図】図２
2007329712.tif 000002
【特許請求の範囲】
【請求項１】
高音域から低音域までの周波数成分を含む音を出力するスピーカの前面側と裏面側とをバッフル板により隔離し、前記スピーカから前面側に出力された所定の周波数成分が該スピーカの裏面側に出力された所定の周波数成分の位相差により打ち消されるように、前記バッフル板の面積を設定することを特徴とするスピーカ設計方法。
【請求項２】
前記スピーカから前面側に出力される音の伝播経路を覆うように伝播壁を設け、該伝播壁の壁面形状を所定の周波数成分に対して伝達ロスを発生させるように設定することを特徴とする請求項１に記載のスピーカ設計方法。
【請求項３】
音信号を音波に変換して出力するスピーカと、
前記スピーカの前面側と裏面側とを隔離し、これら両側に貫通されたバッフル口を備えたバッフル板と、
前記バッフル口を任意の開口度で開閉可能なバッフル口開閉機構と、
前記スピーカから前面側に出力された所定の周波数成分が該スピーカの裏面側に出力された所定の周波数成分の位相差により打ち消されるように、前記バッフル口開閉機構を制御するバッフル口開閉制御装置と
を有することを特徴とするスピーカ装置。
【請求項４】
前記スピーカの前面側における音の伝播経路を覆うように設けられた伝播壁と、
前記伝播壁の少なくとも一部の壁面形状を変形可能な壁面変形機構と、
前記伝播壁の壁面形状が所定の周波数成分に対して伝達ロスを発生させる形状となるように前記壁面変形機構を制御する壁面変形制御装置と
を有することを特徴とする請求項３に記載のスピーカ装置。
【発明の詳細な説明】
【技術分野】
【０００１】
本発明は、所望の音質に調整するスピーカ設計方法及びスピーカ装置に関する。
【背景技術】
【０００２】
従来、スピーカの音質を調整する場合は、プリアンプとパワーアンプとの間に積分回路や微分回路を構成するフィルタ回路を設け、音信号に含まれる所定の周波数成分をフィルタ回路で減衰させることにより音信号の段階で音質を調整した後、調整された音信号をスピーカで音波に変換して音として出力するようになっている（例えば特許文献１）。
【０００３】
【特許文献１】特開２００５−５７５７４号公報
【発明の開示】
【発明が解決しようとする課題】
【０００４】
しかしながら、上記従来の構成では、フィルタ回路の積分回路や微分回路により音信号の位相や波形を変形することにより音質を調整するため、原音から外れた音信号がスピーカで音波に変換されて音として出力されることになる。そして、スピーカから出力された音は、スピーカの取り付け構造等により周波数成分がさらに変化される。このため、スピーカから出力された音に基づいて所望の音質を得るように調整することが困難であるという問題がある。
【０００５】
本発明の目的は、スピーカから出力された音に基づいて所望の音質を容易に得ることができるスピーカ設計方法及びスピーカ装置を提供することである。
【課題を解決するための手段及び効果】
【０００６】
本発明は、高音域から低音域までの周波数成分を含む音を出力するスピーカの前面側と裏面側とをバッフル板により隔離し、前記スピーカから前面側に出力された所定の周波数成分が該スピーカの裏面側に出力された所定の周波数成分の位相差により打ち消されるように、前記バッフル板の面積を設定することを特徴としている。
【０００７】
上記の構成によれば、スピーカから原音に近い周波数成分からなる音を出力させた後、バッフル板の面積の変更により所望の周波数成分を減衰させることができるため、従来のようにフィルター回路により波形成形した音信号をスピーカから音として出力していた場合よりも、原音に近い状態から音質を調整することができるため、スピーカから出力された音に基づいて所望の音質を容易に得ることが可能になる。
【０００８】
また、本発明は、前記スピーカから前面側に出力される音の伝播経路を覆うように伝播壁を設け、該伝播壁の壁面形状を所定の周波数成分に対して伝達ロスを発生させるように設定されてもよい。
【０００９】
上記の構成によれば、音の伝播経路の側壁形状による伝達ロスを利用することによって、バッフル板による周波数成分の調整とは異なる周波数成分の調整を行うことができる。
【００１０】
また、本発明は、音信号を音波に変換して出力するスピーカと、前記スピーカの前面側と裏面側とを隔離し、これら両側に貫通されたバッフル口を備えたバッフル板と、前記バッフル口を任意の開口度で開閉可能なバッフル口開閉機構と、前記スピーカから前面側に出力された所定の周波数成分が該スピーカの裏面側に出力された所定の周波数成分の位相差により打ち消されるように、前記バッフル口開閉機構を制御するバッフル口開閉制御装置とを有することを特徴としている。
【００１１】
上記の構成によれば、スピーカから原音に近い周波数成分からなる音を出力させた後、バッフル口開閉機構をバッフル口開閉制御装置により制御し、バッフル口の開口度の変更によりバッフル板の面積を変更することによって、所望の周波数成分を減衰させることができる。これにより、従来のようにチャンネルデバイダにより波形成形した音信号をスピーカから音として出力していた場合よりも、原音に近い状態から補正することができるため、所望の音質をバッフル口開閉制御装置により自動で得ることが可能になる。
【００１２】
また、本発明は、前記スピーカの前面側における音の伝播経路を覆うように設けられた伝播壁と、前記伝播壁の少なくとも一部の壁面形状を変形可能な壁面変形機構と、前記伝播壁の壁面形状が所定の周波数成分に対して伝達ロスを発生させる形状となるように前記壁面変形機構を制御する壁面変形制御装置とを有していてもよい。
【００１３】
上記の構成によれば、さらに、音の伝播経路の側壁形状による伝達ロスを利用することによって、バッフル板による周波数成分の調整とは異なる周波数成分の調整を行うことができる。
【発明を実施するための最良の形態】
【００１４】
（実施形態１）
本発明の第１の実施形態を図１ないし図３に基づいて以下に説明する。
【００１５】
（スピーカ装置の機械的構成）
本実施の形態にかかるスピーカ装置は、図１に示すように、スピーカ１１を備えたスピーカ本体１と、スピーカ１から出力される音の音質を調整する音質調整装置５０とを有している。スピーカ本体１は、音信号を音波に変換し、高音域から低音域までの周波数成分を含む音を出力するスピーカ１１と、スピーカ１１の周縁部を支持したバッフル板２０と、バッフル板２０が前面開口部に設けられた筐体２１とを有している。
【００１６】
上記のスピーカ１１は、図２に示すように、コーン型スピーカであり、コーン紙２を支持するフレーム３の内側にヨーク４、マグネット５およびプレート６を備えている。コーン紙２は、振動板としての機能を有しており、頂部が円形に開口した円錐形状に形成されている。また、コーン紙２は、外周にエッジ部を有し、頂部とエッジ部の間の斜面が曲面状に形成されている。コーン紙２は、頂部が前面側へ突出する向きに設定されている一方、エッジ部がフレーム３に接着されることにより取り付けられている。
【００１７】
上記のコーン紙２には、ボビン８が取り付けられている。ボビン８は、円筒形状に形成され、先端側がコーン紙２の頂部に嵌め込まれ、接着によりコーン紙２に固定されている。また、ボビン８は、コーン紙２の裏面側からフレーム３方向に延ばされていると共に、後端部においてボイスコイル９が設けられている。ボイスコイル９は、プレート６に対向して配置されている。また、ボビン８の先端には、センタキャップ１０が設けられている。センタキャップ１０は、ボビン８先端の開口を塞いでいる。このように構成されたスピーカ１１は、ボイスコイル９に音信号である電気信号が印加されると、マグネット５、ヨーク４およびプレート６により構成される磁気回路を通る磁束によって、電気信号の大きさに応じてボビン８及びコーン紙２が振動する結果、位相が正反対の周波数成分を有した音を前面側及び裏面側にそれぞれ出力する。
【００１８】
上記のスピーカ１１は、周縁部の全体がバッフル板２０により密接されている。バッフル板２０は、スピーカ１１の前面側と裏面側とを隔離している。バッフル板２０には、貫通状態の２つのバッフル口２０ａ・２０ａが形成されている。これらのバッフル口２０ａ・２０ａは、スピーカ１１を中心とした上下方向の対称位置に配置されている。各バッフル口２０ａは、スピーカ１１の前面側の空間と、スピーカ１１の裏面側の空間とを連通しており、スピーカ１１の裏面側に出力された音を前面側に進行させることによって、スピーカ１１から前面側に出力された所定の周波数成分を正反対の位相差により打ち消すことを可能にしている。尚、所定の周波数成分は、バッフル板２０の面積により変化するものであり、バッフル板２０の面積に影響するバッフル口２０ａの開口度に応じて変化されるようになっている。
【００１９】
各バッフル口２０ａには、バッフル口開閉機構１５が設けられている。バッフル口開閉機構１５は、バッフル口２０ａの全体を覆う程度のサイズ及び形状に形成され、バッフル口２０ａの裏面側において上下方向に移動可能に設けられたシャッター部材１４と、シャッター部材１４の裏面に形成され、上下方向に配置されたラック部１４ａと、ラック部１４ａに噛合するピニオン１３と、ピニオン１３を正方向及び逆方向に回転駆動するステッピングモータ等のピニオン駆動部材１２とを有している。そして、バッフル口開閉機構１５は、ピニオン１３を回転駆動することによりラック部１４ａを介してシャッター部材１４を上下方向に移動させ、任意の開口度でバッフル口２０ａを開口することを可能にしている。
【００２０】
（スピーカ装置の電気的構成）
上記のスピーカ本体１は、アンプ４１に接続されていると共に、音質調整装置５０に接続されている。アンプ４１は、音信号を増幅してスピーカ１１に出力するように構成されている。アンプ４１には、プレーヤー４２が接続されている。プレーヤー４２は、デジタル形式やアナログ形式で録音したＣＤやＭＤ、レコード等の記録媒体を音信号として再生するように構成されている。
【００２１】
一方、音質調整装置５０は、スピーカ本体１とでスピーカ装置を構成している。尚、本実施形態においては、スピーカ本体１と音質調整装置５０を分離した構成を用いて説明しているが、これに限定されるものではなく、音質調整装置５０がスピーカ本体１に組み込まれて一体化されていてもよい。
【００２２】
音質調整装置５０は、シャッター駆動部５１とＡ／Ｄ変換部５２と入出力部５３と音信号発生部５８と制御部５７とを有している。シャッター駆動部５１は、バッフル口開閉機構１５に接続されており、制御部５７からの回転制御信号に基づいてピニオン１３を所定の回転角度で回転させるようにピニオン駆動部材１２を作動させる機能を有している。Ａ／Ｄ変換部５２は、無線や有線によりマイク４３に接続されており、マイク４３で集音された音信号をデジタル信号に変換して制御部５７に出力する機能を有している。入出力部５３は、音質調整ツマミ４４や自動ボタン４５、音質設定ツマミ４６等の操作指示部材に接続されており、これらの操作指示部材からの信号を制御部５７に取り込ませる機能を有している。
【００２３】
上記の音質調整ツマミ４４は、手動により音質を調整する場合に使用されるものであり、バッフル口２０ａを任意の開度で開口させる音質調整データを出力する。自動ボタン４５は、自動的に音質を調整する場合に押圧操作されるものであり、操作により自動指令信号を出力する。音質設定ツマミ４６は、自動的に音質を調整する場合における所定の周波数成分を指定する音質設定データを切替可能に出力する。また、音信号発生部５８は、上述のアンプ４１に接続されており、自動で音質を調整する際に音質調整用の音信号を出力する機能を有している。
【００２４】
上記の各部５１・５２・５３・５８に接続された制御部５７は、ＣＰＵ５４とワークＲＡＭ５５とプログラムＲＯＭ５６とを有している。ワークＲＡＭ５５は、音質調整時に使用されるデータ領域である音データ領域とＦＦＴ領域とを有している。音データ領域は、マイク４３から入力された音信号のデジタルデータを格納するための領域である。ＦＦＴ領域は、音データをＦＦＴ処理したデータを格納するための領域である。一方、プログラムＲＯＭ５６は、第１音質調整ルーチン等の各種の制御プログラムを記憶している。第１音質調整プログラムは、自動や手動によりバッフル口２０ａの開口度を変更することによって、音質を調整することを可能にしている。
【００２５】
（スピーカ装置の動作、スピーカ設計方法）
上記の構成を有したスピーカ装置は、高音域から低音域までの周波数成分を含む音を出力するスピーカ１１の前面側と裏面側とをバッフル板２０により隔離し、スピーカ１１から前面側に出力された所定の周波数成分がスピーカ１１の裏面側に出力された所定の周波数成分の位相差により打ち消されるように、バッフル板２０の面積を自動及び手動で設定することを可能にしている。
【００２６】
具体的に説明すると、音質調整装置５０等のスピーカ装置やアンプ４１、プレーヤー４２に電源が投入される。これにより、音質調整装置５０において、図３の第１音質調整ルーチンが実行され、先ず、自動ボタン４５の操作状態に基づいて自動調整か否かが判定される（Ａ１）。自動調整でない場合には（Ａ１，ＮＯ）、手動調整であると判定され、手動による音質調整が可能にされる。
【００２７】
即ち、手動調整時においては、調整者（聴取者）の好みの楽曲等の音信号がプレーヤー４２で再生され、アンプ４１で増幅された後、スピーカ本体１から出力される。この後、音質調整ツマミ４４の音質調整データが入出力部５３を介して制御部５７に取り込まれる（Ａ１６）。そして、音質調整データに対応した開口度でバッフル口２０ａが開口される（Ａ１７）。バッフル口２０ａが開口されると、この開口度に応じたバッフル板２０の面積に対応した所定の周波数成分が設定される。そして、スピーカ１１の裏面側に出力された筐体２１内の音が前面側に進行され、スピーカ１１から前面側に出力された所定の周波数成分が正反対の位相差により打ち消されることになる。これにより、ローカットフィルタの機能によって、可聴域の低音に対応する周波数成分が弱められた音質を得ることが可能になる。
【００２８】
この後、本ルーチンが終了され、再度、所定時間の経過後に再実行されたときに、自動調整でなければ（Ａ１，ＮＯ）、引き続いて手動による音質調整が行われる。これにより、楽曲等の音を聴きながら、音質調整ツマミ４４を操作してバッフル口２０ａの開口度を調整し、低減する周波数成分を変更することによって、最適な音質を得ることが可能になる。尚、楽曲の代わりに、音質調整装置５０から音質調整用の検査音が出力されてもよい。
【００２９】
次に、自動ボタン４５が押圧操作されることによって、自動調整であると判定した場合には（Ａ１，ＹＥＳ）、バッフル板２０が閉鎖され、裏面側に出力された音の前面側への回り込み、即ち、位相差による周波数成分の減衰が禁止される（Ａ２）。この後、音質設定ツマミ４６の音質設定データが取り込まれる（Ａ３）。そして、音信号発生部５８から検査音信号が出力され、アンプ４１で増幅された後、スピーカ本体１から検査音として出力される（Ａ４）。検査音は、マイク４３により集音されることになり、Ａ／Ｄ変換部５２でデジタルデータに変換された後にワークＲＡＭ５５の音データ領域に格納される（Ａ５）。
【００３０】
次に、音データ領域に格納された音データが周波数分析（ＦＦＴ）処理され、周波数分析データとしてＦＦＴ領域に格納される（Ａ６）。そして、ＦＦＴ領域のデータ内から、音質設定データに対応した帯域（所定の周波数成分）の周波数分析データが取得され（Ａ７）、この周波数分析データが第１分析データとして記憶される（Ａ８）。
【００３１】
次に、バッフル口２０ａが所定量開口される（Ａ９）。この結果、検査音は、バッフル口２０ａの開口度に応じた周波数成分が減衰された後、マイク４３で集音され、ワークＲＡＭ５５の音データ領域に格納される（Ａ１０）。そして、音データ領域に格納された音データに基づいて周波数分析（ＦＦＴ）処理が実行された後（Ａ１１）、音質設定データに対応した領域の周波数分析データが取得され（Ａ１２）、この周波数分析データが第２分析データとして記憶される（Ａ１３）。
【００３２】
この後、バッフル口２０ａの開口度を増大させる前の第１分析データが、開口度の増大後の第２分析データよりも小さな値であるか否かが判定され（Ａ１４）、小さな値であれば（Ａ１４，ＹＥＳ）、第２分析データが第１分析データに置き換えられて記憶された後（Ａ１５）、Ａ９から再実行される。そして、順次、バッフル口２０ａの開口度が拡大されながら、音質設定データに対応した周波数成分の増減が判定される。この後、第１分析データが第２分析データよりも小さな値でなくなったときに（Ａ１４，ＮＯ）、音質の自動調整が完了したとして本ルーチンが終了される。
【００３３】
（実施形態２）
本発明の第２の実施形態を図１、図３、図４ないし図６に基づいて以下に説明する。尚、第１実施形態と同一の部材には同一の符号を付記してその説明を省略する。
【００３４】
（スピーカ装置の構成）
本実施形態のスピーカ本体１は、ホーン型スピーカであり、スピーカ１１と、スピーカ１１の前面側に設けられた筒状部材７２と、筒状部材７２の先端部に設けられたホーン部材７３と、バッフル板２０とを有している。筒状部材７２とホーン部材７３とは、ホーン型スピーカのホーン壁を構成している。筒状部材７２は、スピーカ１１側の端部である後端部から先端部までが同一径に設定されていると共に、弾力性を有した材料により円筒形状に形成されている。筒状部材７２は、後端部の繰り出し量に応じた曲率半径で湾曲可能にされている。筒状部材７２の後端部には、繰出機構７１が設けられている。繰出機構７１は、筒状部材７２を引き伸ばし可能及び繰り出し可能に構成されており、音質調整装置５０からの繰出信号に対応した繰り出し量で筒状部材７２をホーン部材７３側に繰り出すことによって、筒状部材７２を任意の曲率半径で湾曲させることを可能にしている。そして、筒状部材７２は、ハイカットフィルタとして機能し、湾曲の程度に応じた可聴域の高音側の周波数成分を減衰させることを可能にしている。
【００３５】
また、筒状部材７２の先端部に設けられたホーン部材７３は、筒状部材７２が固設された根元部から先端部にかけて開口径が拡大されたロート形状に形成されている。ホーン部材７３は、バッフル板２０により支持されている。その他の機械的構成は第１実施形態と同一である。
【００３６】
上記のスピーカ本体１は、音質調整装置８０によりバッフル板２０の開口状態と筒状部材７２の湾曲状態とが制御されている。音質調整装置８０は、第１実施形態の構成に加えて、ホーン壁駆動部５９を有していると共に、調整切替ボタン４７が接続されている。ホーン壁駆動部５９は、繰出機構７１に接続されており、制御部５７からの指令により繰出信号を出力する。また、調整切替ボタン４７は、入出力部５３を介して制御部５７に接続されている。調整切替ボタン４７は、バッフル板２０におけるバッフル口２０ａの開口度の調整と、筒状部材７２の湾曲状態の調整とを切り替え可能にしている。
【００３７】
また、プログラムＲＯＭ５６には、上述の第１音質調整ルーチンに加えて、図５の周波数調整切替ルーチン及び図６の第２音質切替ルーチンが記憶されている。各ルーチンの詳細については後述する。その他の電気的構成は、第１実施形態と同一である。
【００３８】
（スピーカ装置の動作、スピーカ設計方法）
上記の構成を有したスピーカ装置は、スピーカ１１から前面側に出力された所定の周波数成分がスピーカ１１の裏面側に出力された所定の周波数成分の位相差により打ち消されるように、バッフル板２０の面積を自動及び手動で設定することを可能にしている。さらに、スピーカ装置は、スピーカ１１から前面側に出力される音の伝播経路を覆うように設けられた筒状部材７２からなる伝播壁の壁面形状を所定の周波数成分に対して伝達ロスを発生させるように設定することを可能にしている。
【００３９】
具体的に説明すると、音質調整装置８０等のスピーカ装置やアンプ４１、プレーヤー４２に電源が投入される。これにより、音質調整装置８０において、図５の周波数調整切替ルーチンが実行され、先ず、バッフル板２０による調整か否かが判定される（Ｂ１）。調整切替ボタン４７の操作状態に基づいてバッフル板２０による調整であると判定された場合には（Ｂ１，ＹＥＳ）、図３の第１音質調整ルーチンにより第１音質調整処理が実行され、バッフル板２０のバッフル口２０ａの開口度が調整されることによって、ローカットフィルタ機能により音質が調整される。
【００４０】
一方、バッフル板２０による調整でない場合には（Ｂ１，ＮＯ）、筒状部材７２の湾曲状態（変形状態）により音質を調整する第２音質調整処理が実行される。即ち、図６に示すように、自動調整か否かが判定される（Ｃ１）。自動調整でない場合には（Ｃ１，ＮＯ）、手動調整であると判定され、手動による音質調整が可能にされる。
【００４１】
即ち、手動調整時においては、調整者（聴取者）の好みの楽曲等の音信号がプレーヤー４２で再生され、アンプ４１で増幅された後、スピーカ本体１から出力される。この後、音質調整ツマミ４４の音質調整データが入出力部５３を介して制御部５７に取り込まれる（Ｃ１６）。そして、繰出機構７１が駆動されることによって、音質調整データに対応した変形量で筒状部材７２が湾曲される（Ｃ１７）。筒状部材７２が湾曲されると、高音域伝達ロスが発生するため、この筒状部材７２の湾曲状態に対応した所定の周波数成分が高音域伝達ロスにより減衰されることになる。これにより、ハイカットフィルタの機能によって、可聴域の高音に対応する周波数成分が弱められた音質を得ることが可能になる。
【００４２】
この後、本ルーチンが終了され、再度、所定時間の経過後に再実行されたときに、自動調整でなければ（Ｃ１，ＮＯ）、引き続いて手動による音質調整が行われる。これにより、楽曲等の音を聴きながら、音質調整ツマミ４４を操作して筒状部材７２の湾曲状態の変形量を調整し、低減する周波数成分を変更することによって、最適な音質を得ることが可能になる。尚、楽曲の代わりに、音質調整装置８０から音質調整用の検査音が出力されてもよい。
【００４３】
次に、自動ボタン４５が押圧操作されることによって、自動調整であると判定した場合には（Ｃ１，ＹＥＳ）、筒状部材７２（伝播壁）が直線状となるように繰出機構７１が作動され、伝達ロスによる所定の周波数成分の減衰が禁止される（Ｃ２）。この後、音質設定ツマミ４６の音質設定データが取り込まれる（Ｃ３）。そして、音信号発生部５８から検査音信号が出力され、アンプ４１で増幅された後、スピーカ本体１から検査音として出力される（Ｃ４）。検査音は、マイク４３により集音されることになり、Ａ／Ｄ変換部５２でデジタルデータに変換された後にワークＲＡＭ５５の音データ領域に格納される（Ｃ５）。
【００４４】
次に、音データ領域に格納された音データが周波数分析（ＦＦＴ）処理され、周波数分析データとしてＦＦＴ領域に格納される（Ｃ６）。そして、ＦＦＴ領域のデータ内から、音質設定データに対応した帯域（所定の周波数成分）の周波数分析データが取得され（Ｃ７）、この周波数分析データが第１分析データとして記憶される（Ｃ８）。
【００４５】
次に、筒状部材７２（伝播壁）が所定量変形される（Ｃ９）。この結果、検査音は、筒状部材７２の湾曲量に応じた周波数成分が伝達ロスにより減衰された後、マイク４３で集音され、ワークＲＡＭ５５の音データ領域に格納される（Ｃ１０）。そして、音データ領域に格納された音データに基づいて周波数分析（ＦＦＴ）処理が実行された後（Ｃ１１）、音質設定データに対応した領域の周波数分析データが取得され（Ｃ１２）、この周波数分析データが第２分析データとして記憶される（Ｃ１３）。
【００４６】
この後、筒状部材７２を変形させる前の第１分析データが、変形後の第２分析データよりも小さな値であるか否かが判定され（Ｃ１４）、小さな値であれば（Ｃ１４，ＹＥＳ）、第２分析データが第１分析データに置き換えられて記憶された後（Ｃ１５）、Ｃ９から再実行される。そして、順次、筒状部材７２の湾曲量（変形量）が増大されながら、音質設定データに対応した周波数成分の増減が判定される。この後、第１分析データが第２分析データよりも小さな値でなくなったときに（Ｃ１４，ＮＯ）、音質の自動調整が完了したとして本ルーチンが終了される。
【００４７】
（本実施形態の概要）
以上のように、第１及び第２実施形態におけるスピーカ設計方法は、図１及び図４に示すように、高音域から低音域までの周波数成分を含む音を出力するスピーカ１１の前面側と裏面側とをバッフル板２０により隔離し、スピーカ１１から前面側に出力された所定の周波数成分がスピーカ１１の裏面側に出力された所定の周波数成分の位相差により打ち消されるように、バッフル板２０の面積を設定する構成にされている。
【００４８】
尚、本実施形態にカットオフ付近の周波数特性の乱れは、バッフル板２０を長方形や不整形にし、スピーカ１１の取り付け位置をオフセットにして整えることができると共に、吸音材を用いることにより整えることができる。また、スピーカ１１への過剰入力を保護する必要がある場合には、位相特性等を極力無視できる位低い帯域で、パワーアンプ内のカップリングコンデンサでローカットフィルタを形成してもよい。ローパスフィルタは、スピーカ１１の自然減衰を用いても良いし、スピーカ１１の前面側に障害物（吸音材等）を設けてもよい。障害物のサイズは、実際に試聴してみて、カット・アンド・トライで決定するが、音質に変化がなければ設ける必要はない。３ｄＢ程度のうねりは、スピーカ１１が元々持っているうねりに比べて無視できる範囲である。
【００４９】
上記の構成によれば、スピーカ１１から原音に近い周波数成分からなる音を出力させた後、バッフル板２０の面積の変更により所望の周波数成分を減衰させることができるため、従来のようにフィルター回路により波形成形した音信号をスピーカ１１から音として出力していた場合よりも、原音に近い状態から音質を調整することができるため、スピーカ１１から出力された音に基づいて所望の音質を容易に得ることが可能になる。
【００５０】
また、第２実施形態のスピーカ設計方法は、図４に示すように、スピーカ１１から前面側に出力される音の伝播経路を覆うように伝播壁（筒状部材７２等）を設け、該伝播壁の壁面形状を所定の周波数成分に対して伝達ロスを発生させるように設定する構成にされている。尚、第２実施形態においては、バッフル板２０と筒状部材７２との両方で各周波数成分を減衰させる構成にしているが、筒状部材７２だけを備えて、この筒状部材７２により所定の周波数成分を減衰させる構成にされていてもよい。また、ホーン部材７３の開口面付近（ホーン出口）付近の反射による周波数特性の乱れは、ホーン出口の形状を不整形にしたり、吸音材等で整えることができる。
【００５１】
上記の構成によれば、音の伝播経路の側壁形状による伝達ロスを利用することによって、バッフル板による周波数成分の調整とは異なる周波数成分の調整を行うことができる。
【００５２】
また、第１及び第２実施形態におけるスピーカ装置は、図１及び図４に示すように、音信号を音波に変換して出力するスピーカ１１と、スピーカ１１の前面側と裏面側とを隔離し、これら両側に貫通されたバッフル口２０ａを備えたバッフル板２０と、バッフル口２０ａを任意の開口度で開閉可能なバッフル口開閉機構１５と、スピーカ１１から前面側に出力された所定の周波数成分がスピーカ１１の裏面側に出力された所定の周波数成分の位相差により打ち消されるように、バッフル口開閉機構１５を制御するバッフル口開閉制御装置（音質調整装置５０・８０、シャッター駆動部５１等）とを有した構成にされている。
【００５３】
上記の構成によれば、スピーカ１１から原音に近い周波数成分からなる音を出力させた後、バッフル口開閉機構１５をバッフル口開閉制御装置により制御し、バッフル口２０ａの開口度の変更によりバッフル板２０の面積を変更することによって、所望の周波数成分を減衰させることができる。これにより、従来のようにチャンネルデバイダにより波形成形した音信号をスピーカ１１から音として出力していた場合よりも、原音に近い状態から補正することができるため、所望の音質をバッフル口開閉制御装置により自動で得ることが可能になる。
【００５４】
また、第２実施形態におけるスピーカ装置は、図４に示すように、スピーカ１１の前面側における音の伝播経路を覆うように設けられた伝播壁（筒状部材７２）と、伝播壁の少なくとも一部の壁面形状を変形可能な壁面変形機構（繰出機構７１）と、伝播壁の壁面形状が所定の周波数成分に対して伝達ロスを発生させる形状となるように壁面変形機構を制御する壁面変形制御装置（音質調整装置８０、ホーン壁駆動部５９等）とを有した構成にされている。
【００５５】
尚、本実施形態においては、伝播壁を円筒形状の筒状部材７２により形成しているが、これに限定されるものではなく、２枚の板状部材を上下方向に並列配置し、これらの板状部材の両側面を側壁部材で挟み込んだ構成にされていてもよい。この構成においても、板状部材の後端部を繰出機構７１により繰出し可能及び引き込み可能にすることによって、筒状部材７２と同様に、繰出量に応じた湾曲量で伝播壁を変形させることができる。
【００５６】
上記の構成によれば、さらに、音の伝播経路の側壁形状による伝達ロスを利用することによって、バッフル板２０による周波数成分の調整とは異なる周波数成分の調整を行うことができる。
【００５７】
以上、本発明の実施形態を説明したが、具体例を例示したに過ぎず、特に本発明を限定するものではなく、具体的構成などは、適宜設計変更可能である。尚、本発明の実施の形態に記載された、作用及び効果は、本発明から生じる最も好適な作用及び効果を列挙したに過ぎず、本発明の実施の形態に記載されたものに限定されるものではない。
【図面の簡単な説明】
【００５８】
【図１】スピーカ装置の斜視図。
【図２】スピーカ装置のブロック図。
【図３】第１音質調整ルーチンのフローチャート。
【図４】スピーカ装置のブロック図。
【図５】周波数調整切替ルーチンのフローチャート。
【図６】第２音質調整ルーチンのフローチャート。
【符号の説明】
【００５９】
１  スピーカ本体
１１  スピーカ
１５  バッフル口開閉機構
２０  バッフル板
２０ａ  バッフル口
５０  音質調整装置
５１  シャッター駆動部
５９  ホーン壁駆動部
７１  繰出機構
７２  筒状部材
７３  ホーン部材
８０  音質調整装置
【図１】
2007329712.tif 000003
【図２】
2007329712.tif 000004
【図３】
2007329712.tif 000005
【図４】
2007329712.tif 000006
【図５】
2007329712.tif 000007
【図６】
2007329712.tif 000008